(57)【要約】  ガラス製品成形機械においてネックリング部分を整合させるためのネックリングガイドは、中央ボディ（４４または６０または９４または１３２）と、ネックリング部分のガイドスロットに受け入れるための、中央ボディに連結された一対の間隔をへだてた平行ランナー（４６、４８または５８、５９または９６、９８または１３６、１３６）と、を有する。ランナーの外側のキーパー（５０）は、ランナーをガイドスロット内に保持する。キーパーの代わりに、ランナーの保持スロット（１１０、１１４、１１８、１２２）内に係合したネックリング部分のロールピン（１００〜１０６）によって、ランナーをガイドスロットに保持してもよい。【選択図】図２
2008526668.tif 000002
【特許請求の範囲】
【請求項１】
ガラス製品成形機械におけるネックリング部分を整合させるためのネックリングガイドであって、
前記ネックリングガイドは、中央ボディ（４４または６０または９４または１３２）と、ネックリング部分のガイドスロットに受け入れるための、前記中央ボディに連結された、一対の間隔をへだてた平行ランナー（４６、４８または５８、５９または９６、９８または１３６、１３６）と、を含む、
ことを特徴とするネックリングガイド。
【請求項２】
前記ランナー（４６、４８または９６、９８または１３６、１３６）は、前記中央ボディと一体的に成形される、請求項１に記載のネックリングガイド。
【請求項３】
前記ランナー（５８、５９）は、前記中央ボディに交換可能に取付けられる、請求項１に記載のネックリングガイド。
【請求項４】
前記ランナーをネックリング部分のガイドスロット内に保持するためのキーパー（５０）を、前記ランナーの外側に含む、請求項１に記載のネックリングガイド。
【請求項５】
前記キーパーは、前記ランナーと一体的に成形される、請求項４に記載のネックリングガイド。
【請求項６】
前記キーパーは、前記ランナーに交換可能に取付けられる、請求項４に記載のネックリングガイド。
【請求項７】
前記ランナー（９６、９８または１３６、１３６）の各々は、ネックリング部分の１つにあるリテーナ要素を受け入れるための少なくとも１つの長手方向に延びるスロット（１１０または１１８または１１４または１２２）を有する、請求項１に記載のネックリングガイド。
【請求項８】
前記ランナーの各々は、ネックリング部分の一方の第１のリテーナ要素（１００または１０２）を受け入れるための第１の長手方向に延びるスロット（１１０または１１４）と、ネックリング部分の他方の第２のリテーナ要素（１０４または１０６）を受け入れるための第２の長手方向に延びるスロット（１１８または１２２）と、を有する、請求項１に記載のネックリングガイド。
【請求項９】
ガラス製品成形機械のためのネックリング組立体であって、
互いに近付けたり遠ざけたりすることができる向かい合ったネックリング部分（３０、３２）を有するネックリング（２６）を含み、
前記ネックリング部分の各々は、ネックリング部分の両側の外周面部分に、間隔をへだてた平行ガイドスロット（３４、３６および３８、４０）を有し、
ネックリング部分を整合させ、且つ、前記ネックリング部分を互いに近付けたり遠ざけたり案内するための、ネックリングガイド（４２または５７または９２または１３０）を含み、
前記ネックガイドは、中央ボディ（４４または６０または９４または１３２）と、前記中央ボディの外周部に設けられた、一対の間隔をへだてた平行アウトボードランナー（４６、４８または５８、５９または９６、９８または１３６、１３６）と、を有し、
前記ランナーの一方は、前記ネックリング部分の一方の側部でガイドスロットに摺動可能に係合し、前記ランナーの他方は、前記ネックリング部分の他方の側部でガイドスロットに摺動可能に係合する、
ことを特徴とするネックリング組立体。
【請求項１０】
前記ランナーをネックリング部分のガイドスロットに保持するためのキーパー（５０）を、前記ランナーの外側に含む、請求項９に記載のネックリング組立体。
【請求項１１】
前記キーパーは、前記ランナーと一体的に成形される、請求項１０に記載のネックリング組立体。
【請求項１２】
前記キーパーは、前記ランナーに交換可能に取付けられる、請求項１０に記載のネックリング組立体。
【請求項１３】
前記ネックリング部分の一方（７４）は、前記ランナー（９６、９８）の長手方向に延びる第１のリテーナスロット（１００、１１４）にそれぞれ係合可能な、一対の第１のリテーナ要素（１００、１０２）を有し、
前記ネックリング部分の他方（７６）は、前記ランナーの長手方向に延びる第２のリテーナスロット（１１８、１２２）にそれぞれ係合可能な、一対の第２のリテーナ要素（１０４、１０６）を有し、
前記リテーナ要素およびリテーナスロットは、前記ランナーを前記ガイドスロット内に保持する、
請求項９に記載のネックリング組立体。
【請求項１４】
前記リテーナ要素は、ロールピンからなる、請求項１３に記載のネックリング組立体。
【請求項１５】
各々のランナーのリテーナスロットは、互いに整合している、請求項１４に記載のネックリング組立体。
【請求項１６】
前記ランナーは、前記中央ボディと一体的に成形される、請求項１５に記載のネックリング組立体。
【請求項１７】
前記ランナーは、前記中央ボディに交換可能に取付けられる、請求項１５に記載のネックリング組立体。
【請求項１８】
ガラス製品成形機械でネックリング部分を整合させるためのネックリングガイドであって、
前記ネックリングガイドは、ハブ（１３２）と、前記ハブに交換可能に取付けられる、別体の再利用可能なガイドプレート（１３４）と、を含み、
前記ガイドプレートは、ネックリング部分のガイドスロットに受け入れるための、間隔をへだてた平行ランナー（１３６）を有する、
ことを特徴とするネックリングガイド。
【請求項１９】
前記ガイドプレートは、取り外し可能な締め付け具（１４４）によって、前記ハブに交換可能に取付けられる、請求項１８に記載のネックリングガイド。
【請求項２０】
前記ランナーは、前記ガイドプレートと一体的に成形される、請求項１９に記載のネックリングガイド。
【発明の詳細な説明】
【技術分野】
【０００１】
本発明は、ガラス容器の口部を成形するための向かい合ったネックリング部分と、ネックリング部分の開閉を案内するためのネックリングガイドと、を有する、ガラス容器を製造するための装置に関する。
【背景技術】
【０００２】
ガラス製品製造機械は、典型的には、ブランクステーションとブローステーションとの間で、ネックリング部分を移動するための、インバートアームと、ネックリング部分の開閉移動の間、向かい合ったネックリング部分を整合した状態に保つための、ネックリングガイドと、を用いる。
【０００３】
現在使用中のネックリングガイドは、ネックリング部分の各々の内部円形溝に係合する円形フランジを有する。しかしながら、ネックリング部分が、パリソン口部を放し且つ取り除くようにするために十分離れて開いたとき、ネックリング部分は、ネックリングガイドから部分的に外れる。この部分的な解放により、インバートアームがネックリング部分を機械のブランクサイドに移動させて戻すときに発生した力によって、ネックリング部分が、定位置から放り出される。また、ネックリング部分のそれに続く閉鎖時に、ネックリング部分とネックリングガイドとの間に、過度の摩擦がある。
【発明の開示】
【課題を解決するための手段】
【０００４】
本発明によれば、ネックリングガイドは、向かい合ったネックリング部分に形成された外部スロットに摺動可能に配置された、一対の平行ランナーを有する。ランナーは、ネックリングガイドの中央ボディと一体的に成形されるか、あるいは交換可能に取付けられるかのいずれでもよい。ランナーは、ランナーをネックリングスロットに保持するためのアウトボードキーパーを有するのがよく、該キーパーは、ランナーと一体的に形成されてもよいし、あるいは交換可能に取付けられてもよい。ランナーは、より好ましくは、ランナーをネックリングスロットに保持するためのロールピンをネックリング部分に受け入れるための、長手方向のスロットを有する。
【０００５】
アウトボードランナーの設計は、ネックリング部分との広い安定した係合を提供するので、ネックリング部分は、開閉移動の間中ずっと、しっかりと案内される。スロットは、ネックリング部分の外側部に形成されるので、表面コーティングオプションおよび機械加工の目的のために、便利に配置される。
【０００６】
本発明の１つの目的は、１つ以上の前述の特徴および能力を有する、ネックリング部分およびネックリングガイドを備える、ガラス製品製造機械を提供することにある。
【発明を実施するための最良の形態】
【０００７】
本発明のその他の目的、特徴および利点は、以下の詳細な記載および添付図面から、より明らかになるであろう。
【０００８】
今、より詳細に図面、特に図１〜８を参照すると、ガラスパリソンのネック部分が成形されるブランクステーションから、最終成形ステップのためのブローステーションまで、一斉にスイングするようになっている、一対の平行インバートアーム部分２０および２２を示す。インバートアーム部分２０および２２は、構造が同一である２つのネックリング組立体２４および２６を担持する。各ネックリング組立体は、パリソンの口部を最終形状に成形する。
【０００９】
各ネックリング組立体２４、２６は、２つのネックリング部分３０および３２からなるほぼ円形のネックリング２８を有する。ネックリング部分３０は、インバートアーム部分２０に固定され、ネックリング部分３２は、インバートアーム部分２２に固定される。
【００１０】
各ネックリング組立体のネックリング部分３０および３２は、ほぼ弓形で、互いに向かい合う。インバートアーム部分２０および２２が、互いに近づけられるとき、ネックリング部分３０および３２は、図１におけるように閉じて、パリソン口部を最終形状に成形するリングを形成する。インバートアーム部分２０および２２が、互いに遠ざけられるとき、ネックリング部分３０および３２は、図３におけるように開いて、パリソンを取り出す。
【００１１】
各ネックリング組立体２４、２６のネックリング部分３０は、両側に外部平行スロット３４および３６を有し、ネックリング部分３２は、両側に外部平行スロット３８および４０を有し、ガイドスロット３４および３８が整合しており、且つスロット３６および４０が整合している。
【００１２】
各ネックリング組立体３０、３２は、ネックリングガイド４２を含む。ネックリングガイド４２は、中央ボディ４４と、中央ボディの両側に、一対のアウトボード平行ランナー４６および４８と、を有する。ランナー４６は、ネックリング部分３０および３２の整合したガイドスロット３４および３８に摺動可能に受け入れられ、ランナー４８は、ネックリング部分の整合したガイドスロット３６および４０に摺動可能に受け入れられる。ランナーは、図示されているように、中央ボディと一体であってもよいし、あるいは中央ボディと別々に形成されてもよい。ランナーは、特に、もし中央ボディと別々に形成されるならば、硬化材料で作られ、且つ仕上げ研磨をして、表面仕上げを改善し、摩擦を低下させるのがよい。ネックリング部分３０および３２が開閉するとき、このような開閉移動は、ランナー４６および４８によって案内される。
【００１３】
細長い棒の形態をなしたキーパー５０は、ランナーの外側の長さに沿って延びる。キーパーは、ランナー４６および４８を、ネックリング部分のガイドスロット内に保持する。キーパー５０は、ネックリング部分３０および３２の側部５２および５４に沿って走る。好ましくは、ネックリング部分３０および３２が互いに開位置に遠ざけられるとき、リングガイド４２をわずかに浮かせるために、図４に示すように、キーパー５０とネックリング部分の側部５２および５４との間に、わずかに隙間がある。キーパーは、締め付け具５６によってランナーに取り外し可能に固定されるが、所望ならば、ランナーと一体的に成形されてもよい。
【００１４】
ネックリング部分が開閉するとき、キーパーは、ネックリング部分の側面と側面を接した移動を含み、アウトボードランナーの設計は、ネックリング部分を回転させない。
【００１５】
図８は、平行ランナー５８および５９が別々に形成され、且つ締め付け具６１によって中央ボディ６０の両側に固定された、変形ネックリングガイド５７を示す。キーパー６２は、各ランナーと一体的に成形される。各ランナーとキーパーの組み合わせは、交換可能な中央ボディにボルト締めされる再利用可能な硬化ピースを構成する。図１〜７の実施形態における、ネックリングガイド４２の代わりにネックリングガイド５７を用いてもよい。
【００１６】
図９は、ランナーをネックリング部分のスロット内に保持するためのキーパーが、ネックリングガイドのランナーにではなく、ネックリング部分に固定されている以外は、ネックリング組立体が前述と同じである本発明の変形例を示す。図９は、ランナー４６をガイドスロット３４内に保持するために、ネックリング部分３０の一方の側部５２に固定されたキーパー６３と、ランナー４８をガイドスロット３６内に保持するために、ネックリング部分３０の他方の側部５４に固定されたキーパー６４と、を示す。キーパー６３および６４は、ネックリング部分と一体的に成形されてもよいし、あるいは、図示されるように、締め付け具６５によって、交換可能に取付けられてもよい。好ましくは、ネックリング部分が開閉するときに、ガイドリング４２の側部をわずかに浮かせるように、キーパー６３および６４とガイドリング４２との間には、わずかな隙間がある。キーパー６３および６４と同様のキーパーも、同じ方法で、且つ同じ目的のために、ネックリング部分３２に取付けられるであろうことが理解されるであろう。
【００１７】
今、図１０〜１３を参照すると、インバートアーム部分（図示せず）がネックリング組立体７０を担持する、本発明の更なる変形例を示す。ネックリング組立体７０は、２つのネックリング部分７４および７６からなるほぼ円形のネックリング７２を有する。ネックリング部分７４が、インバートアーム部分（図示せず）の一方に固定され、且つネックリング部分７６が、インバートアーム部分（図示せず）の他方に固定される。ネックリング部分の各々は、締め付け具８２によってベース部分８０に固定された頂部分７８を有する。
【００１８】
第１の実施形態におけるように、ネックリング部分７４および７６は、ほぼ弓形であり、且つ互いに向かい合っている。インバートアーム６６および６８が、図１０におけるように、互いに近づけられるとき、ネックリング部分７４および７６は、閉じて、パリソン口部を最終形状に成形するリングを形成する。インバートアームが、図１１におけるように、互いに遠ざけられるとき、ネックリング部分７４および７６は、開いて、パリソンを取り出す。
【００１９】
ネックリング部分７４のベース部分８０は、両側に外部平行ガイドスロット８４および８６を有し、ネックリング部分７６のベース部分８０は、両側に外部平行ガイドスロット８８および９０を有し、スロット８４および８８は整合しており、スロット８６および９０は整合している。
【００２０】
ネックリング組立体７０は、ネックリングガイド９２を含む。ネックリングガイドは、中央ボディ９４と、中央ボディの両側に、一対のアウトボード平行ランナー９６および９８と、を有する。ネックリング部分の開閉移動を案内するために、ランナー９６は、ネックリング部分７４および７６の整合したガイドスロット８４および８８に摺動可能に受け入れられ、ランナー９８は、ネックリング部分の整合したガイドスロット８６および９０に摺動可能に受け入れられる。
【００２１】
ランナーを、ネックリング部分７４および７６のガイドスロット内に保持するために、ロールピン１００、１０２、１０４および１０６の形態をなす保持要素が設けられる。ロールピン１００は、ネックリング部分７４の孔１０８内に配置され、且つランナー９６のリテーナスロット１１０の中へ延びる。ロールピン１０２は、ネックリング部分７４の孔（図示せず）内に配置され、且つランナー９８のリテーナスロット１１４の中へ延びる。ロールピン１０４は、ネックリング部分７６の孔１１６内に配置され、且つランナー９６のリテーナスロット１１８の中へ延びる。ロールピン１０６は、ネックリング部分７６の孔（図示せず）内に配置され、且つランナー９８のリテーナスロット１２２の中へ延びる。ランナー９６のスロット１１０および１１８は、細長く、且つ互いに整合している。ランナー９８のスロット１１４および１２２は、細長く、且つ互いに整合している。好ましくは、ネックリング部分が開閉するときに、ネックリングガイドをわずかに浮かせるように、ロールピンとロールピンが中に延びるスロットの側壁との間には、わずかな隙間がある。ロールピン１００、１０２、１０４および１０６を、ネックリング部分の孔に設置するために、ロールピンを、ネックリング部分の頂部分７８の通路１２４の中へ挿入する。
【００２２】
ネックリング部分７４および７６が開閉するとき、このような開閉移動は、ランナー９６および９８によって案内される。ランナーは、ロールピン１００、１０２、１０４および１０６によって、ネックリング部分７４および７６のガイドスロット８４、８８、８６および９０内に保持される。
【００２３】
図１４および１５は、図１１〜１３のネックリングガイド９２の変形例である、ネックリングガイド１３０を示す。ネックリングガイド１３０は、交換可能なキャビティハブ１３２と、別体の再利用可能なガイドプレート１３４と、を有し、このガイドプレートに一体のランナー１３６が形成されている。ガイドプレート１３４は、ハブのスロット１４０を通じて延び、且つガイドプレートの孔１４２の中へ通る、ボルト１３８の形態をなす取り外し可能な締め付け具によって、ハブ１３２に交換可能に固定される。ボルト１３８は、ハブ１３２とガイドプレート１３４を一緒に固定するためにスロット１４０の肩部１４６を締め付ける、頭部１４４を有する。この２ピース構造により、ガイドプレート１３４を、硬化材料で別々に成形し、且つ仕上げ研磨して、表面仕上げを改善し、摩擦を低下させ、それによって、ガイドプレートの寿命を延ばす。別々に成形されたハブは、必要なあるいは望まれるときに交換することができる。
【００２４】
ここでの本開示は、例示を意図し、限定を意図するものではない。本発明の範囲は、ここに添付の特許請求の範囲によって定められる。
【図面の簡単な説明】
【００２５】
【図１】２つのガラス容器の口部分を成形する、ネックリング組立体を備えたガラス製品成形機械のインバートアームを示す、断片的な斜視図である。
【図２】ネックリングガイドから分解されたネックリング部分を示す、図１のネックリング組立体のうちの１つの分解斜視図である。
【図３】ネックリング部分が開いた、図２に示すネックリング組立体の上平面図である。
【図４】図３に示す、ネックリング組立体の正面図である。
【図５】ランナーをネックリングスロット内に保持するためのキーパーを、ランナーから取り外して示す、上記図面に示すネックリングガイドの分解斜視図である。
【図６】ネックリング部分のうちの１つの斜視図である。
【図７】異なる角度から見た、図６に示すネックリング部分の斜視図である。
【図８】ランナーが、ネックリングガイドの中央ボディにボルト締めされ、キーパーが、各ランナーと一体的に成形された、変形ネックリングガイドの斜視図である。
【図９】キーパーが、ランナーの代わりにネックリング部分に取付けられた、ネックリング部分およびネックリングガイドを示す、斜視図である。
【図１０】ランナーをネックリングスロット内に保持するために、キーパーの代わりに、ロールピンを備える、変形例の斜視図である。
【図１１】図１０と同様の斜視図であるが、ネックリング部分を開放位置で示す。
【図１２】図１０および１１の変形例のネックリング部分、ネックリングガイド、およびロールピンの分解斜視図である。
【図１３】部品が破線であり、ネックリング部分が開放位置である、図１０の変形例の斜視図である。
【図１４】変形構成のネックリングガイドの斜視図である。
【図１５】図１４のネックリングガイドの分解斜視図である。
【図１】
2008526668.tif 000003
【図２】
2008526668.tif 000004
【図３】
2008526668.tif 000005
【図４】
2008526668.tif 000006
【図５】
2008526668.tif 000007
【図６】
2008526668.tif 000008
【図７】
2008526668.tif 000009
【図８】
2008526668.tif 000010
【図９】
2008526668.tif 000011
【図１０】
2008526668.tif 000012
【図１１】
2008526668.tif 000013
【図１２】
2008526668.tif 000014
【図１３】
2008526668.tif 000015
【図１４】
2008526668.tif 000016
【図１５】
2008526668.tif 000017
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
ガラス製品成形機械におけるネックリング部分を整合させるためのネックリングガイドであって、
前記ネックリングガイドは、中央ボディ（４４または６０または９４または１３２）と、ネックリング部分のガイドスロットに受け入れるための、前記中央ボディに連結された一対の間隔をへだてた平行ランナー（４６、４８または５８、５９または９６、９８または１３６、１３６）と、を含む、
ことを特徴とするネックリングガイド。
【請求項２】
前記ランナー（４６、４８または９６、９８または１３６、１３６）は、前記中央ボディと一体的に成形される、請求項１に記載のネックリングガイド。
【請求項３】
前記ランナー（５８、５９）は、前記中央ボディに交換可能に取付けられる、請求項１に記載のネックリングガイド。
【請求項４】
前記ランナーをネックリング部分のガイドスロット内に保持するためのキーパー（５０）を、前記ランナーの外側に含む、請求項１に記載のネックリングガイド。
【請求項５】
前記キーパーは、前記ランナーと一体的に成形される、請求項４に記載のネックリングガイド。
【請求項６】
前記キーパーは、前記ランナーに交換可能に取付けられる、請求項４に記載のネックリングガイド。
【請求項７】
前記ランナー（９６、９８または１３６、１３６）の各々は、ネックリング部分の１つにあるリテーナ要素を受け入れるための、少なくとも１つの長手方向に延びるスロット（１１０または１１８または１１４または１２２）を有する、請求項１に記載のネックリングガイド。
【請求項８】
前記ランナーの各々は、ネックリング部分の一方の第１のリテーナ要素（１００または１０２）を受け入れるための、長手方向に延びる第１のスロット（１１０または１１４）と、ネックリング部分の他方の第２のリテーナ要素（１０４または１０６）を受け入れるための、長手方向に延びる第２のスロット（１１８または１２２）と、を有する、請求項１に記載のネックリングガイド。
【請求項９】
ガラス製品成形機械のためのネックリング組立体であって、
互いに近付けたり遠ざけたりすることができる向かい合ったネックリング部分（３０、３２）を有する、ネックリング（２６）を含み、
前記ネックリング部分の各々は、ネックリング部分の両側の外周面部分に、間隔をへだてた平行ガイドスロット（３４、３６および３８、４０）を有し、
請求項１乃至８のいずれか１項に記載のネックリングガイドを含む、
ことを特徴とするネックリング組立体。
【請求項１０】
ガラス製品成形機械におけるネックリング部分を整合させるためのネックリングガイドであって、
前記ネックリングガイドは、ハブ（１３２）と、前記ハブに交換可能に取付けられる、別体の再利用可能なガイドプレート（１３４）と、を含み、
前記ガイドプレートは、ネックリング部分のガイドスロットに受け入れるための、間隔をへだてた平行ランナー（１３６）を有する、
ことを特徴とするネックリングガイド。
【請求項１１】
前記ガイドプレートは、取り外し可能な締め付け具（１４４）によって、前記ハブに交換可能に取付けられる、請求項１０に記載のネックリングガイド。
【請求項１２】
前記ランナーは、前記ガイドプレートと一体的に成形される、請求項１１に記載のネックリングガイド。
【国際調査報告】
2008526668.tif 000018
2008526668.tif 000019
2008526668.tif 000020